(57)【要約】【課題】削孔の支持層への到達を判定することができる支持層到達判定方法及び判定支援システムを提供する。【解決手段】削孔管理システム２０の制御部３１は、表示部２６のディスプレイに、深度−経過時間グラフ、深度−積分電流値グラフ、深度−水平方向振動解析グラフ、深度−上下方向振動解析グラフを表示する表示領域を含む出力画面を表示する。制御部３１は、この出力画面において、各グラフの深度に対応させて、判定基準情報の柱状図及び深度−Ｎ値グラフを出力する。制御部３１は、削孔時間帯における削孔深度を、深度−経過時間グラフに追加し、削孔深度に関連付けた積分電流値、上下方向及び水平方向の振動特性値とを、それぞれ、各グラフに追加する。【選択図】図１
2018112011.tif 000002
【特許請求の範囲】
【請求項１】
杭孔について杭の支持層への到達を判定する支持層到達判定方法であって、
杭孔の掘削装置に取り付けた振動計測器において、掘削時の振動を計測し、
前記振動の周波数分析を行なった周波数分析結果を、掘削時の前記杭孔の深さと関連付け、
前記周波数分析結果に基づいて、前記支持層への到達を判定することを特徴とする支持層到達判定方法。
【請求項２】
地表から少なくとも前記支持層までの地質と、前記掘削時の前記周波数分析結果との比較により、前記支持層への到達を判定することを特徴とする請求項１に記載の支持層到達判定方法。
【請求項３】
地表から少なくとも前記支持層までの地質に対応させた周波数分析結果についての基準値と、前記掘削時の前記周波数分析結果との比較により、前記支持層への到達を判定することを特徴とする請求項１又は２に記載の支持層到達判定方法。
【請求項４】
前記周波数分析として、水平方向の周波数分析と鉛直方向の周波数分析とを用い、
前記支持層への到達を、判定可能な方向の周波数分析を用いることを特徴とする請求項１〜３の何れか１項に記載の支持層到達判定方法。
【請求項５】
前記杭孔の掘削時に取得した電流値を更に用いて、前記支持層への到達を判定することを特徴とする請求項１〜４の何れか１項に記載の支持層到達判定方法。
【請求項６】
杭孔について杭の支持層への到達の判定を支援するための判定支援システムであって、
杭孔の掘削装置に取り付けて振動を計測する振動計測部と、
前記振動の周波数分析を行なった周波数分析結果を、掘削時の前記杭孔の深さと関連付けて計測情報記憶部に記録する記録部と、
前記計測情報記憶部に記録された周波数分析結果を出力する出力部とを備えることを特徴とする判定支援システム。
【発明の詳細な説明】
【技術分野】
【０００１】
本発明は、杭を設置する杭孔の支持層到達を判定する支持層到達判定方法及び判定支援システムに関する。
【背景技術】
【０００２】
構造物を建設する場合、複数の杭を支持層に打ち込み、杭を介して、支持層において構造物の荷重を支える場合がある。このため、杭を挿入する杭孔を支持層にまで必ず到達させる。しかし、掘削工法の制約上、支持層への到達確認は、経験による主観的判断に依存することが多く、客観的な判定が難しい。
【０００３】
通常、構造物を建設する前に、支持層の深さ（位置）等を特定するための地盤調査が行なわれている。そして、地盤調査における標準貫入試験によって、地盤の固さを示す指標のＮ値を取得する。
【０００４】
しかし、構造物を建設する現場全体において、地質構造が同じとは限らない。また、地盤調査には費用や手間がかかるため、すべての杭孔位置で地盤調査を行なうことは難しい。また、取得したＮ値は、同じ値であっても地質が異なる場合がある。そのため、地盤調査に基づく柱状図及びＮ値を把握しても、各杭の杭孔が支持層まで到達したことの判定は難しかった。
【０００５】
そこで、従来、掘削時の地盤の固さに応じた抵抗値（削孔トルクを出力するための電流値）を削孔深度毎に積分した積分電流値を用いて、杭孔の支持層到達を判定する技術が検討されている（例えば、特許文献１参照）。この特許文献１においては、地盤を削孔する掘削機のオーガを駆動するオーガ駆動用モータの掘削時における電流値を検出し、オーガの上下方向移動距離を検出する。そして、掘削機による掘削開始と同時にオーガの電流データと掘削深度の測定を開始し、これらと、予めボーリング調査して得たＮ値を同一画面に表示する。
【先行技術文献】
【特許文献】
【０００６】
【特許文献１】特開平５−２８７７２１号公報
【発明の概要】
【発明が解決しようとする課題】
【０００７】
上述した特許文献１においても、地質構造によっては、支持層到達の判定は難しい。例えば、Ｎ値が高い泥岩の上に、Ｎ値が高い細砂層が積層していることがある。このような地層においては、泥岩を支持層として用いる。しかしながら、その上の細砂層においてもＮ値や積層電流値が高く検出されてしまい、支持層までの削孔を誤判定する可能性がある。
【０００８】
本発明は、上記課題に鑑みてなされ、その目的は、削孔の支持層への到達を判定するための支持層到達判定方法及び判定支援システムを提供することにある。
【課題を解決するための手段】
【０００９】
・上記課題を解決するための支持層到達判定方法は、杭孔について杭の支持層への到達を判定する支持層到達判定方法であって、杭孔の掘削装置に取り付けた振動計測器において、掘削時の振動を計測し、前記振動の周波数分析を行なった周波数分析結果を、掘削時の前記杭孔の深さと関連付け、前記周波数分析結果に基づいて、前記支持層への到達を判定する。これにより、Ｎ値や積分電流値が高い地質が積層されている場合であっても、地質によって振動の周波数についての分析結果が変化するので、この周波数分析結果の変化に基づいて、削孔の支持層への到達を判定することができる。
【００１０】
・上記支持層到達判定方法において、地表から少なくとも前記支持層までの地質と、前記掘削時の前記周波数分析結果との比較により、前記支持層への到達を判定することが好ましい。これにより、地表から支持層までの地質を参考にして、削孔の支持層への到達を、的確に判定することができる。
・上記支持層到達判定方法において、地表から少なくとも前記支持層までの地質に対応させた周波数分析結果に基づいて設定した基準値と、前記掘削時の前記周波数分析結果との比較により、前記支持層への到達を判定することが好ましい。これにより、地質に対応させた周波数分析結果に基づいて、削孔の支持層への到達を、的確に判定することができる。
【００１１】
・上記支持層到達判定方法において、前記周波数分析として、水平方向の周波数分析と鉛直方向の周波数分析とを用い、前記支持層への到達を、判定可能な方向の周波数分析を用いることが好ましい。これにより、掘削する地点の地層や振動装置等の状況に応じた周波数分析結果を用いるので、支持層到達の判定を、的確に行なうことができる。
【００１２】
・上記支持層到達判定方法において、前記杭孔の掘削時に取得した電流値を更に用いて、前記支持層への到達を判定することが好ましい。これにより、電流値を参考にして、削孔の支持層への到達を、的確に判定することができる。
【００１３】
・上記課題を解決するための判定支援システムは、杭孔について杭の支持層への到達の判定を支援するための判定支援システムであって、杭孔の掘削装置に取り付けて振動を計測する振動計測部と、前記振動の周波数分析を行なった周波数分析結果を、掘削時の前記杭孔の深さと関連付けて計測情報記憶部に記録する記録部と、前記計測情報記憶部に記録された周波数分析結果を出力する出力部とを備える。これにより、地質変化に応じて変化する振動についての周波数分析結果の変化に基づいて、削孔の支持層への到達を、的確に判定することができる。
【発明の効果】
【００１４】
本発明によれば、削孔の支持層への到達を的確に判定することができる。
【図面の簡単な説明】
【００１５】
【図１】実施形態における杭孔を掘削する掘削装置の説明図であって、（ａ）は掘削装置の概略正面図、（ｂ）は削孔管理システムの構成を示す構成図。
【図２】実施形態の各記憶部に記憶されたデータの構成を説明する説明図であって、（ａ）は判定基準情報記憶部、（ｂ）は掘削状況情報記憶部。
【図３】実施形態の処理工程の処理手順を説明する流れ図。
【図４】実施形態における計測値の評価処理を説明する説明図であって、（ａ）は計測値グラフ、（ｂ）は削孔時間帯を抽出したグラフ、（ｃ）は削孔時間帯の計測値を連結したグラフ、（ｄ）は処理手順の流れ図。
【図５】実施形態における各グラフを説明する説明図であり、（ａ）は柱状図と深度に応じたＮ値、（ｂ）は深度−積分電流値グラフ、（ｃ）は深度−水平方向振動解析グラフ、（ｄ）は深度−上下方向振動解析グラフを示す。
【発明を実施するための形態】
【００１６】
以下、図１〜図５を用いて、本発明を具体化した一実施形態を説明する。
図１（ａ）には、建物の杭を設置する杭孔ｈ０を掘削する掘削装置としての掘削機１０を示している。掘削機１０は、ベースマシン１１、マスト１４、及びオーガマシン１６を備えている。ベースマシン１１は、クローラ１２を含む下部走行体と、操作室１３を含む上部旋回体とを備えている。
【００１７】
マスト１４は、ベースマシン１１に立設されている。マスト１４内には、深度・速度計計測用のワイヤが設けられている。マスト１４には、昇降可能にオーガマシン１６が取り付けられている。オーガマシン１６は、ボックス内に収容された駆動モータと、この駆動モータで回転駆動される掘削ロッド１７とを備えている。掘削ロッド１７の先端（下端）には、掘削ヘッド１８が取り付けられている。掘削ヘッド１８は、揺動する一対（２つ）の掘削腕の先端に掘削刃が形成されている。なお、掘削ヘッド１８の昇降は、操作室１３の操作者により制御される。
【００１８】
また、掘削機１０には、掘削ヘッド１８に掘削水を供給する掘削水供給装置（図示せず）が連結されている。この掘削水の水量は、掘削状況に応じて、操作室１３の操作者により調整される。
【００１９】
図１（ｂ）に示すように、掘削機１０は、削孔管理システム２０を備える。この削孔管理システム２０は、コンピュータ端末３０、削孔深度計測器２１、流量計測器２２、電流計測器２３、振動計測器２４、入力部２５及び表示部２６を備えている。各計測器（２１〜２４）は、常時、計測を行ない、計測値をコンピュータ端末３０に送信する。
【００２０】
削孔深度計測器２１は、マスト１４内のワイヤの繰り出し量を計測し、掘削ヘッド１８の位置に応じた削孔深度（深さ）を計測する。
流量計測器２２は、掘削水供給装置から供給した掘削水の注入流量を計測する。
電流計測器２３は、オーガマシン１６の駆動モータの負荷電流を計測する。
振動計測器２４は、振動計測部として機能し、取付場所における振動を測定する。本実施形態では、振動計測器２４は、操作室１３内、操作室１３の屋根や操作室１３内の操作レバーに取り付けられる。この振動計測器２４は、上下方向の振動と水平方向の振動を計測する。
【００２１】
入力部２５は、操作室１３内に配置されるキーボードやポインティングデバイス等を備え、各種データをコンピュータ端末３０に入力するために用いる。
表示部２６は、操作室１３内に配置されるディスプレイ等を備え、各種データを表示する。
【００２２】
コンピュータ端末３０は、各計測器（２１〜２４）からの各計測値データを取得する。コンピュータ端末３０は、制御部３１、基準情報記憶部としての判定基準情報記憶部３５、計測情報記憶部としての掘削状況情報記憶部３６を備えている。
【００２３】
制御部３１は、制御手段（ＣＰＵ、ＲＡＭ、ＲＯＭ等）を備え、後述する処理（基準登録段階、測定値管理段階、振動解析段階、出力管理段階等の各処理）を行なう。そのために、メモリに記憶された削孔管理プログラムを実行することにより、制御部３１は、基準登録部３１１、測定値管理部３１２、振動解析部３１３及び出力管理部３１４として機能する。
【００２４】
基準登録部３１１は、判定基準情報を判定基準情報記憶部３５に登録する処理を実行する。
測定値管理部３１２は、記録部として機能し、各計測器（２１〜２４）から取得した計測値をメモリに蓄積し、所定時間毎の計測値を評価して、評価結果を出力する。具体的には、測定値管理部３１２は、実際に掘り進んだ時間帯（削孔時間帯）における電流値及び振動特性値を特定する。掘削ヘッド１８は、固い地層等においては、掘り下げる直前に一旦、引き揚げられることがある。このため、掘削ヘッド１８の実際の削孔深度は、図４（ａ）に示すように、経過時間に従って削孔深度が単調に増加するとは限らない。そこで、測定値管理部３１２は、掘削ヘッド１８の引き揚げや停止の期間（図４（ｂ）の網掛けの時間帯）を全体の作業時間から削除し、削孔のために実質的に用いられた削孔時間帯の計測値を特定する。測定値管理部３１２は、特定した削孔時間帯における計測値を連結して、図４（ｃ）に示すグラフを生成する。
【００２５】
振動解析部３１３は、振動計測器２４で計測した振動の周波数分析を行なうことにより、振動特性の解析処理を実行する。本実施形態では、振動解析部３１３は、周波数帯毎に、振動の大きさ（例えば、最大振幅や最大加速度等）を特定する。更に、振動解析部３１３は、振動の大きさをグラフにおいて濃度で表示するために、濃度特定テーブルを記憶している。
出力管理部３１４は、出力部として機能し、掘削時における各計測値や、算出した深度に応じた測定値を記載したグラフ等を、表示部２６に表示する。
【００２６】
図２（ａ）に示すように、判定基準情報記憶部３５は、支持層への到達を判定するために用いる判定基準情報３５０を記憶する。本実施形態では、この判定基準情報３５０には、現場識別子に関連付けて、柱状図３５１、深度−Ｎ値グラフ３５２及び判定基準グラフ３５５が含まれる。
【００２７】
柱状図３５１は、杭孔を掘削する工事現場において、ボーリング調査において取得した土試料に基づいて作成される。深度−Ｎ値グラフ３５２は、このボーリング調査において取得した標準貫入試験データに基づいて作成される。
ここでは、図５（ａ）に示す柱状図３５１及び深度−Ｎ値グラフ３５２が記録される。
【００２８】
判定基準グラフ３５５は、工事現場において既に掘削した杭孔の掘削状況情報を流用した基準値である。この判定基準グラフ３５５は、この現場識別子によって特定される現場において、ボーリング調査の近傍で先行して行なわれる先行掘削工程（例えば、最初の杭孔の掘削工程）において生成されて登録される。判定基準グラフ３５５には、深度−経過時間基準グラフＲ１、深度−積分電流値基準グラフＲ５、深度−水平方向振動解析基準グラフＲ６、深度−上下方向振動解析基準グラフＲ７が含まれる。各基準グラフ（Ｒ１，Ｒ５〜Ｒ７）は、対応する後述するグラフ（３６１，３６５〜３６７）の変化の基準として用いられる。
【００２９】
図２（ｂ）に示すように、掘削状況情報記憶部３６は、杭孔の掘削状況に関する掘削状況情報３６０が記憶される。この掘削状況情報３６０には、現場識別子及び杭番号に関連付けて、深度−経過時間グラフ３６１、深度−積分電流値グラフ３６５、深度−水平方向振動解析グラフ３６６、深度−上下方向振動解析グラフ３６７が含まれる。これらグラフ（３６１，３６５〜３６７）の各計測値は、後述する測定値管理処理において、順次、追加記録される。
【００３０】
図４（ｃ）に示すように、深度−経過時間グラフ３６１は、掘削深さ（削孔深度）を縦軸に、経過時間（削孔時間）を横軸にしたグラフである。
図５（ｂ）に示すように、深度−積分電流値グラフ３６５は、削孔深度を縦軸に、積分電流値を横軸にしたグラフである。
【００３１】
図５（ｃ）に示すように、深度−水平方向振動解析グラフ３６６は、削孔深度に応じた水平方向の振動特性値に関するグラフである。この深度−水平方向振動解析グラフ３６６は、削孔深度を縦軸に、周波数を横軸に用い、各周波数の振動の大きさに応じた濃度で表される。
【００３２】
図５（ｄ）に示すように、深度−上下方向振動解析グラフ３６７は、削孔深度に応じた上下方向の振動特性値に関するグラフである。この深度−上下方向振動解析グラフ３６７は、削孔深度を縦軸に、周波数を横軸に用い、各周波数の振動の大きさに応じた濃度で表される。
【００３３】
次に、図３〜図５に従って、以上のように構成された掘削機１０を用いて、杭孔を形成する処理について説明する。ここでは、工事現場の敷地において、複数の杭孔を形成する場合を想定する。
【００３４】
＜ボーリング調査工程＞
まず、図３に示すように、掘削を行なう前に、ボーリング調査工程を実行する。このボーリング調査工程においては、公知のように、工事現場の敷地において、地質調査を行なう。この地質調査の際に取得した深度に応じた土試料の種類に応じて柱状図を生成する。また、予め定めた所定深度毎のＮ値を取得し、深度−Ｎ値グラフを生成する。
【００３５】
そして、コンピュータ端末３０の制御部３１を用いて、柱状図と深度−Ｎ値の登録処理を実行する（ステップＳ１−１）。具体的には、制御部３１の基準登録部３１１は、基準値登録画面を表示部２６に出力する。この基準値登録画面には、柱状図に関するデータと、深度に応じたＮ値のグラフデータとを登録する入力欄が含まれる。建築現場の管理者は、基準値登録画面に、現場識別子、柱状図及び深度に応じたＮ値のグラフを入力する。コンピュータ端末３０の制御部３１は、入力された現場識別子、柱状図３５１及び深度−Ｎ値グラフ３５２を記録した判定基準情報３５０を生成し、判定基準情報記憶部３５に登録する。
【００３６】
（掘削工程）
その後、各杭孔の掘削工程を行なう。この場合、判定基準グラフ３５５を生成する先行掘削工程と、生成した判定基準グラフ３５５を用いて支持層到達を判定する後続掘削工程とがある。先行掘削工程においては、ボーリング調査を行なった地点の近傍の杭孔を掘削する。以下では、まず、先行掘削工程について説明し、その後に、後続掘削工程について説明する。
【００３７】
＜先行掘削工程＞
この先行掘削処理において、削孔管理システム２０のコンピュータ端末３０は、オーガマシン１６の駆動モータの回転を開始し、掘削ヘッド１８を地中に挿入させて削孔を開始する。
【００３８】
この場合、まず、コンピュータ端末３０の制御部３１は、判定基準情報の出力処理を実行する（ステップＳ２−１）。具体的には、制御部３１の出力管理部３１４は、表示部２６のディスプレイに、各グラフ（３６１〜３６７）を表示する表示領域を含む出力画面を表示する。
【００３９】
更に、出力管理部３１４は、この出力画面において、各グラフ（３６１〜３６７）の深度に対応させて、判定基準情報３５０の柱状図３５１及び深度−Ｎ値グラフ３５２を出力する。
【００４０】
次に、コンピュータ端末３０の制御部３１は、計測値の取得処理を実行する（ステップＳ２−２）。具体的には、制御部３１の測定値管理部３１２は、所定時間毎に、各計測器（２１〜２４）において計測された計測値を取得する。なお、計測値の取得処理（ステップＳ２−２）を実行する度に、ステップＳ２−３〜Ｓ２−５の処理を実行する。
【００４１】
次に、コンピュータ端末３０の制御部３１を用いて、計測値の評価処理を実行する（ステップＳ２−３）。具体的には、制御部３１は、各計測器（２１，２３，２４）から取得した各計測値から、削孔時間帯における振動特性値及び積分電流値を特定する。この処理の詳細については、後述する。
【００４２】
次に、コンピュータ端末３０の制御部３１は、評価結果の出力処理を実行する（ステップＳ２−４）。具体的には、制御部３１の出力管理部３１４は、ステップＳ２−３において特定した削孔時間帯における削孔深度を、深度−経過時間グラフ３６１に追加する。更に、出力管理部３１４は、ステップＳ２−２においてメモリに記憶した削孔深度に関連付けた積分電流値及び振動特性値を、それぞれ、各グラフ（３６５〜３６７）に追加する。
【００４３】
そして、コンピュータ端末３０の制御部３１を用いて、支持層への到達の判定処理を実行する（ステップＳ２−５）。具体的には、表示部２６のディスプレイに表示された各測定値の変化と、判定基準情報３５０とを比較して、操作者が支持層に到達したか否かを判定する。
【００４４】
例えば、図５において、柱状図及びＮ値に基づくと、約２５ｍよりも浅い部分は軟弱地質であることを示している。また、約２５ｍ〜約２７ｍは、「細砂」層、約２７ｍ〜約２８ｍは「礫質土」層、約２８ｍ〜約３０．５ｍは「シルト入り細砂」層、約３０．５ｍ〜約３２ｍは「シルト入り砂質土」層、約３２ｍ〜約３５ｍは「シルト」層である。図５において、約３２ｍの深度において、水平方向の振動の７Ｈｚ前後と５０Ｈｚ〜６０Ｈｚにおいて、振動の大きさが大きくなっている。また、同じ深度において、上下方向の振動の３０Ｈｚ〜４０Ｈｚにおいて、振動の大きさが大きくなっている。掘削刃が固い地質を掘削する場合には、大きな振動を生じることがある。このため、特定の周波数帯において大きな振動が生じた場合には、その深度において、固い地質を掘削していることがわかるので、支持層となる「シルト」層に到達したと判定することができる。
【００４５】
そして、支持層に到達したと判定した場合には、掘削ヘッド１８を杭孔から引き抜く。
ここで、掘削ヘッド１８の引き抜きに応じた上昇を検知した場合、コンピュータ端末３０の制御部３１は、判定基準グラフの登録処理を実行する（ステップＳ２−６）。具体的には、制御部３１の基準登録部３１１は、掘削状況情報記憶部３６に登録した各グラフ（３６１，３６５〜３６７）を、判定基準グラフ３５５の各グラフ（Ｒ１，Ｒ５〜Ｒ７）として、判定基準情報記憶部３５に記録する。
【００４６】
＜後続掘削工程＞
次に、判定基準グラフ３５５を用いて支持層到達を判定する後続掘削工程について説明する。
【００４７】
この後続掘削処理において、削孔管理システム２０のコンピュータ端末３０は、オーガマシン１６の駆動モータの回転を開始し、掘削ヘッド１８を地中に挿入させて削孔を開始する。
【００４８】
この場合、まず、コンピュータ端末３０の制御部３１は、判定基準情報の出力処理を実行する（ステップＳ３−１）。具体的には、制御部３１の出力管理部３１４は、ステップＳ２−１と同様に、表示部２６のディスプレイに、各グラフ（３６１，３６５〜３６７）を表示する表示領域と、各グラフ（３６１，３６５〜３６７）の深度に対応させた柱状図３５１及び深度−Ｎ値グラフ３５２を含む出力画面を表示する。
更に、出力管理部３１４は、この出力画面において、判定基準情報３５０の判定基準グラフ３５５の各グラフ（Ｒ１，Ｒ５〜Ｒ７）を、各グラフ（３６１，３６５〜３６７）に対応させるように表示する。
【００４９】
次に、コンピュータ端末３０の制御部３１は、ステップＳ２−２〜Ｓ２−５と同様に、計測値の取得処理（ステップＳ３−２）、計測値の評価処理（ステップＳ３−３）、評価結果の出力処理（ステップＳ３−４）、支持層への到達判定処理（ステップＳ２−５）を実行する。なお、ステップＳ３−３〜Ｓ３−５の処理は、計測値の取得処理（ステップＳ３−２）を実行する度に実行される。そして、支持層に到達したと判定した場合には、掘削ヘッド１８を杭孔から引き抜く。
【００５０】
〔計測値の評価処理〕
次に、図４（ｄ）を用いて、上述した計測値の評価処理（ステップＳ２−３）の詳細について説明する。
【００５１】
まず、コンピュータ端末３０の制御部３１は、掘削ヘッドの削孔深度の取得処理を実行する（ステップＳ４−１）。具体的には、制御部３１の測定値管理部３１２は、削孔深度計測器２１から計測した削孔深度を取得し、取得した計測時刻とともにメモリに一時記憶する。
【００５２】
そして、コンピュータ端末３０の制御部３１は、削孔時間帯の抽出処理を実行する（ステップＳ４−２）。具体的には、制御部３１の測定値管理部３１２は、メモリに一時記憶された削孔深度において、掘削状況情報記憶部３６に記録された過去の削孔深度の中で最大値以上の深度で、深度が単調増加している削孔時間帯を特定する。なお、掘削ヘッド１８を引き揚げた場合には、再度、掘削ヘッド１８が孔底に達した時刻からを削孔時間帯に加える。
【００５３】
次に、コンピュータ端末３０の制御部３１は、削孔時間帯の計測値の特定処理を実行する（ステップＳ４−３）。具体的には、制御部３１の測定値管理部３１２は、削孔時間帯における削孔深度を連結して、削孔深度に応じた経過時間を算出する。そして、測定値管理部３１２は、削孔時間帯における瞬間電流値を特定し、その前の計測時刻の積算電流値に加算して、積算電流値を算出する。
【００５４】
次に、コンピュータ端末３０の制御部３１は、周波数解析処理を実行する（ステップＳ４−４）。具体的には、制御部３１の振動解析部３１３は、削孔時間帯における振動について周波数解析を行ない、周波数帯毎の振動の大きさ（振動特性値）を特定する。そして、測定値管理部３１２は、特定した振動の大きさに応じた濃度を、濃度特定テーブルにおいて特定する。
【００５５】
次に、コンピュータ端末３０の制御部３１は、積分電流値及び振動特性値と、深度との関連付け処理を実行する（ステップＳ４−５）。具体的には、制御部３１の測定値管理部３１２は、計測時刻を介して、削孔深度と、積分電流値、上下方向及び水平方向の振動特性値（周波数帯毎の振動の大きさに応じた濃度）とを関連付けて、メモリに記憶する。
【００５６】
本実施形態によれば、以下のような効果を得ることができる。
（１）本実施形態では、削孔管理システム２０の制御部３１は、削孔深度に応じた経過時間に関する深度−経過時間グラフ３６１、深度−水平方向振動解析グラフ３６６及び深度−上下方向振動解析グラフ３６７を、表示部２６のディスプレイに表示する。これにより、上下方向の振動や水平方向の振動の特性に基づいて、削孔の支持層への到達を判定することができる。
【００５７】
（２）本実施形態では、削孔管理システム２０の制御部３１は、深度−積分電流値グラフ３６５を表示部２６のディスプレイに出力する。これにより、積分電流値に関する変化を参考にして、削孔の支持層への到達を判定することができる。
【００５８】
（３）本実施形態では、削孔管理システム２０の制御部３１は、削孔する現場のボーリング調査で取得した柱状図３５１及び深度−Ｎ値グラフ３５２を、表示部２６のディスプレイに表示する。これにより、柱状図３５１や深度−Ｎ値３５２を参考にして、削孔の支持層への到達を判定することができる。
【００５９】
（４）本実施形態では、削孔管理システム２０の制御部３１は、先行掘削工程の判定基準グラフの登録処理（ステップＳ２−６）において、掘削状況情報記憶部３６に登録した各グラフ（３６１，３６５〜３６７）を、判定基準グラフ３５５の各グラフ（Ｒ１，Ｒ５〜Ｒ７）として記録する。そして、制御部３１は、後続掘削工程の判定基準情報の出力処理（ステップＳ３−１）において、判定基準情報３５０の判定基準グラフ３５５を、各グラフ（３６１，３６５〜３６７）に対応させるように表示する。このため、同じ工事現場において実際に既に取得した周波数分析結果の変化を参考にして、削孔の支持層への到達を判定することができる。
【００６０】
また、上記実施形態は、以下のように変更してもよい。
・上記実施形態においては、削孔管理システム２０の制御部３１は、深度−経過時間グラフ３６１、深度−水平方向振動解析グラフ３６６、深度−上下方向振動解析グラフ３６７を、表示部２６のディスプレイに出力する。掘削機１０の操作者は、各振動解析グラフ（３６６，３６７）における、削孔深度に応じた振動の周波数分析結果の変化に基づいて、削孔の支持層への到達を判定した。この場合、コンピュータ端末３０の制御部３１が、深度−水平方向振動解析グラフ３６６、深度−上下方向振動解析グラフ３６７を用いて、支持層に到達したことを判定してもよい。具体的には、制御部３１は、判定基準グラフ３５５に記録した深度−水平方向振動解析基準グラフＲ６及び深度−上下方向振動解析基準グラフＲ７と、深度−水平方向振動解析グラフ３６６及び深度−上下方向振動解析グラフ３６７とをそれぞれ比較する。比較した結果、基準グラフ（Ｒ６，Ｒ７）の支持層における周波数分析結果と、各グラフ（３６６，３６７）の周波数分析結果が、予め定めた所定範囲内で一致する場合には、支持層に到達したと判定する。
【００６１】
・上記実施形態においては、先行掘削工程の判定基準グラフの登録処理（ステップＳ２−６）において、削孔管理システム２０の制御部３１は、ボーリング調査地点の近傍の杭孔に関する掘削状況情報３６０を、判定基準グラフ３５５として登録した。後続掘削処理において用いる判定基準グラフ３５５は、ボーリング調査地点の近傍の杭孔に関する掘削状況情報３６０に限られない。例えば、複数地点でボーリング調査を行なう場合には、これらボーリング調査工程から、施工する杭孔の地層構造に近似し、これよりも前に施工した杭孔の掘削状況情報３６０を用いてもよい。この場合には、後続掘削工程で削孔する杭孔の杭番号（施工識別子）に、判定基準グラフ３５５として用いる杭孔の杭番号（基準識別子）を関連付けた基準グラフ特定テーブルを記憶しておく。削孔管理システム２０の制御部３１は、後続掘削工程で、施工する削孔の施工識別子（杭番号）を取得した場合、この施工識別子に関連付けられた基準識別子（杭番号）を、基準グラフ特定テーブルを用いて特定する。制御部３１は、特定した基準識別子の掘削状況情報３６０を、判定基準グラフ３５５として判定基準情報記憶部３５に登録し、この判定基準グラフ３５５を用いる。これにより、実際に施工する杭孔の地層構造に近い地点で既に削孔した杭孔の掘削状況情報３６０を、判定基準グラフ３５５として用いながら、支持層到達を判定することができる。また、判定基準グラフ３５５は、実際に杭を設置する孔の掘削時に得られた掘削状況情報３６０を用いる場合に限られず、試験的に孔を掘削した時に得られた掘削状況情報を用いてもよい。
【００６２】
・上記実施形態においては、ディスプレイに表示された深度−水平方向振動解析グラフ３６６、深度−上下方向振動解析グラフ３６７における変化を用いて、削孔の支持層への到達を判定した。削孔の支持層の判定において、深度−水平方向振動解析グラフ３６６、深度−上下方向振動解析グラフ３６７の両方を用いる必要なく、一部でもよい。この場合、この工事現場において支持層を示す特徴的な周波数分析結果を用いる。
・上記実施形態においては、振動計測器２４を、操作室１３内、操作室１３の屋根や操作室１３内の操作レバーに取り付けた。振動計測器２４の取付位置は、掘削に応じた振動を検出できる箇所であれば、場所は限定されるものではなく、例えば、掘削ロッド１７等であってもよい。
【符号の説明】
【００６３】
ｈ０…杭孔、Ｒ１…深度−経過時間基準グラフ、Ｒ５…深度−積分電流値基準グラフ、Ｒ６…深度−水平方向振動解析基準グラフ、Ｒ７…深度−上下方向振動解析基準グラフ、１０…掘削機、１１…ベースマシン、１２…クローラ、１３…操作室、１４…マスト、１６…オーガマシン、１７…掘削ロッド、１８…掘削ヘッド、２０…削孔管理システム、２１…削孔深度計測器、２２…流量計測器、２３…電流計測器、２４…振動計測器、２５…入力部、２６…表示部、３０…コンピュータ端末、３１…制御部、３５…判定基準情報記憶部、３６…掘削状況情報記憶部、３１１…基準登録部、３１２…測定値管理部、３１３…振動解析部、３１４…出力管理部、３５０…判定基準情報、３５５…判定基準グラフ、３６０…掘削状況情報、３６１…深度−経過時間グラフ、３６５…深度−積分電流値グラフ、３６６…深度−水平方向振動解析グラフ、３６７…深度−上下方向振動解析グラフ。
【図１】
2018112011.tif 000003
【図２】
2018112011.tif 000004
【図３】
2018112011.tif 000005
【図４】
2018112011.tif 000006
【図５】
2018112011.tif 000007
【手続補正書】
【提出日】平成30年2月23日(2018.2.23)
【手続補正１】
【補正対象書類名】特許請求の範囲
【補正対象項目名】請求項１
【補正方法】変更
【補正の内容】
【請求項１】
杭孔について杭の支持層への到達を判定する支持層到達判定方法であって、
孔を掘削する掘削装置に取り付けた振動計測器において、掘削時の振動を計測し、
前記振動の周波数分析を行なった周波数分析結果を、掘削時の前記孔の深さと関連付け、
前記周波数分析結果に基づいて、前記支持層への到達を判定することを特徴とする支持層到達判定方法。
【手続補正２】
【補正対象書類名】特許請求の範囲
【補正対象項目名】請求項５
【補正方法】変更
【補正の内容】
【請求項５】
前記孔の掘削時に取得した電流値を更に用いて、前記支持層への到達を判定することを特徴とする請求項１〜４の何れか１項に記載の支持層到達判定方法。
【手続補正３】
【補正対象書類名】特許請求の範囲
【補正対象項目名】請求項６
【補正方法】変更
【補正の内容】
【請求項６】
杭孔について杭の支持層への到達の判定を支援するための判定支援システムであって、
孔を掘削する掘削装置に取り付けて振動を計測する振動計測部と、
前記振動の周波数分析を行なった周波数分析結果を、掘削時の前記孔の深さと関連付けて計測情報記憶部に記録する記録部と、
前記計測情報記憶部に記録された周波数分析結果を出力する出力部とを備えることを特徴とする判定支援システム。
【手続補正４】
【補正対象書類名】明細書
【補正対象項目名】０００９
【補正方法】変更
【補正の内容】
【０００９】
・上記課題を解決するための支持層到達判定方法は、杭孔について杭の支持層への到達を判定する支持層到達判定方法であって、孔を掘削する掘削装置に取り付けた振動計測器において、掘削時の振動を計測し、前記振動の周波数分析を行なった周波数分析結果を、掘削時の前記孔の深さと関連付け、前記周波数分析結果に基づいて、前記支持層への到達を判定する。これにより、Ｎ値や積分電流値が高い地質が積層されている場合であっても、地質によって振動の周波数についての分析結果が変化するので、この周波数分析結果の変化に基づいて、削孔の支持層への到達を判定することができる。
【手続補正５】
【補正対象書類名】明細書
【補正対象項目名】００１２
【補正方法】変更
【補正の内容】
【００１２】
・上記支持層到達判定方法において、前記孔の掘削時に取得した電流値を更に用いて、前記支持層への到達を判定することが好ましい。これにより、電流値を参考にして、削孔の支持層への到達を、的確に判定することができる。
【手続補正６】
【補正対象書類名】明細書
【補正対象項目名】００１３
【補正方法】変更
【補正の内容】
【００１３】
・上記課題を解決するための判定支援システムは、杭孔について杭の支持層への到達の判定を支援するための判定支援システムであって、孔を掘削する掘削装置に取り付けて振動を計測する振動計測部と、前記振動の周波数分析を行なった周波数分析結果を、掘削時の前記孔の深さと関連付けて計測情報記憶部に記録する記録部と、前記計測情報記憶部に記録された周波数分析結果を出力する出力部とを備える。これにより、地質変化に応じて変化する振動についての周波数分析結果の変化に基づいて、削孔の支持層への到達を、的確に判定することができる。